(57)【要約】  本発明は、脱皮動物、特にトコジラミ、ゴキブリ、アリおよびクモなどの昆虫およびクモ類を捕獲するための装置（１）に関する。特に本発明のトラップは、屋根（３）の内面および／または壁（５ｂ）に粘着性物質（７）を含む。本発明は脱皮動物を捕獲するための方法にも関する。【選択図】図１Ｂ
2019528785.tif 000002
【特許請求の範囲】
【請求項１】
床（２）と、屋根（３）と、垂直壁（５）と、粘着性物質（７）で被覆された前記屋根（３）および／または少なくとも１つの垂直壁（５）の少なくとも１つの内面とを含むトラップであって、前記トラップは傾斜した床（２）または傾斜した屋根（３）を含み、かつ前記傾斜は前記床（２）または前記屋根（３）に沿って変化する角度を表すことを特徴とする脱皮動物トラップ（１）。
【請求項２】
前記少なくとも１つの内面は前記屋根（３）の内面である、請求項１に記載のトラップ。
【請求項３】
前記少なくとも１つの内面は少なくとも１つの垂直壁（５）の内面である、請求項１に記載のトラップ。
【請求項４】
前記屋根（３）は少なくとも２つの別個の傾斜を有する、請求項１〜３のいずれか１項に記載のトラップ。
【請求項５】
前記屋根（３）は凹状である、請求項１〜４のいずれか１項に記載のトラップ。
【請求項６】
前記粘着性物質（７）は粘着性接着剤または両面接着テープである、請求項１〜５のいずれか１項に記載のトラップ。
【請求項７】
前記粘着性物質（７）は少なくとも１種の誘引剤、好ましくは性的誘引物質またはフェロモンをさらに含む、請求項１〜６のいずれか１項に記載のトラップ。
【請求項８】
前記トラップ（１）は硬質材料、好ましくはプラスチック、木材、高密度段ボール紙、金属、ガラス、ポリスチレン、石膏またはそれらの組み合わせで作られている、請求項１〜７のいずれか１項に記載のトラップ。
【請求項９】
前記トラップ（１）は粗い内面、好ましくは粗い内側の床を有する、請求項１〜８のいずれか１項に記載のトラップ。
【請求項１０】
前記トラップ（１）は約２ｃｍ〜約５００ｃｍの範囲の長さの細長いストリップである、請求項１〜９のいずれか１項に記載のトラップ。
【請求項１１】
前記トラップ（１）は長手軸（４）の各側に２つの開口（６）側面を含む、請求項１〜１０のいずれか１項に記載のトラップ。
【請求項１２】
前記トラップ（１）は約２ｃｍ〜約１５ｃｍの範囲の直径の円形トラップである、請求項１〜１１のいずれか１項に記載のトラップ。
【請求項１３】
前記トラップ（１）は脱皮動物が前記トラップに入るのに十分に大きな開口部（６）を含む、請求項１〜１２のいずれか１項に記載のトラップ。
【請求項１４】
前記開口部（６）は約０．１ｍｍ〜約２０ｍｍの範囲の高さを有する、請求項１３に記載のトラップ。
【請求項１５】
請求項１〜１４のいずれか１項に記載のトラップ（１）を用意する工程を含む脱皮動物を捕獲するための方法。
【発明の詳細な説明】
【技術分野】
【０００１】
本発明は、特に脱皮動物による害虫侵入の分野に関する。より詳細には、本発明は脱皮動物を捕獲するためのトラップに関する。
【背景技術】
【０００２】
脱皮動物は、外骨格の連続的な脱皮により成長し、かつ有機物質からなる多層のクチクラおよび歩行運動のための付属肢という特性を共有する動物である。脱皮動物は様々な害虫侵入の根源である。
【０００３】
害虫根絶は、既存の技術では時間および費用がかかる大変な作業である。特に、脱皮動物はアクセス不可能な場所に隠れている場合がある。さらに、それらは大部分の農薬および殺虫剤に耐性を有する。害虫の識別後に２つの選択肢、すなわち機械的もしくは物理的防除および化学的防除が現在利用可能である。
【０００４】
機械的もしくは物理的防除は農薬または殺虫剤を使用せず、寄生虫量（Ｐａｒａｓｉｔｅ  ｌｏａｄ）を最大限で減少および除去するために推奨される。その主要な利点はどんな耐性も与えないことである。但し、機械的防除は時間がかかり、多くの繰り返しを必要とし、大抵の場合に侵入を完全に克服することはない。
【０００５】
化学的防除は農薬または殺虫剤を使用するが、それらには様々な欠点があり、例えばヒトに有毒であったり、非常に持続性であるために農薬および／または殺虫剤に対する耐性の発現を引き起こしたりするものもある。従って、化学的方法は可能であれば回避すべきである。
【０００６】
昆虫、特に爬行昆虫用の多くのトラップが市販されている。そのうちのいくつかは天然もしくは合成殺虫剤の使用をベースとしており、従って使用者の健康にリスクを与える。
【０００７】
多くのトラップは、個体を捕獲するための粘着性フィルムを含む。米国特許第４，７０９，５０４号は、その床の上面が粘着性接着剤で被覆されている携帯可能な使い捨て昆虫トラップを開示している。同様に、米国特許第８，３７１，０６４号は、粘着性物質が基板の上面に塗布されている昆虫トラップを開示している。しかし、昆虫はそれらの脚または腹側と床の上に塗布された粘着性フィルムとの接触によって忌避する。従って、昆虫は最初の接触時にトラップから逃げるので捕獲されない。米国特許第４，２１７，７２２号は、接着性物質が上側シートの内面に付着されている昆虫トラップを開示している。
【０００８】
現在の防除方法によれば、ヒトや環境に対して有毒でなく、かつ脱皮動物の侵入を効率的に排除することができる装置および方法を提供することが必要とされている。
【０００９】
本出願人は、トラップの屋根の内面または壁を粘着性物質で被覆することにより、昆虫またはクモ類などの脱皮動物の脚または腹側を粘着性物質に直接接触させないようにすることができることを示す。従って、粘着性物質は脱皮動物によって気づかれず、次いで脱皮動物はトラップの中に入る。
【００１０】
従って本発明は、床の上面でない表面に塗布された粘着性物質を含む脱皮動物を捕獲するための装置に関する。
【発明の概要】
【００１１】
本発明は、床（２）と、屋根（３）と、垂直壁（５）と、粘着性物質（７）で被覆されたトラップ（１）の少なくとも１つの内面とを含み、前記少なくとも１つの内面は床（２）の上面ではないことを特徴とする脱皮動物トラップ（１）に関する。一実施形態では、本トラップは傾斜した床（２）または傾斜した屋根（３）を含む。一実施形態では、床（２）の傾斜は床（２）に沿って変化する角度を表す。一実施形態では、屋根（３）の傾斜は屋根（３）に沿って変化する角度を表す。一実施形態では、トラップ（１）は、傾斜した床（２）または傾斜した屋根（３）を含み、この傾斜は床（２）または屋根（３）に沿って変化する角度を表す。
【００１２】
一実施形態では、少なくとも１つの内面は屋根（３）の内面である。別の実施形態では、少なくとも１つの内面は少なくとも１つの壁（５）の内面である。別の実施形態では、少なくとも１つの内面は屋根（３）の内面および少なくとも１つの壁（５）の内面である。
【００１３】
一実施形態では、屋根（３）は少なくとも２つの別個の傾斜を有する。一実施形態では、屋根（３）は凹状である。
【００１４】
一実施形態では、屋根（３）は傾斜しているかアーチ状の屋根である。一実施形態では、床（２）は傾斜しているかアーチ状の床である。
【００１５】
一実施形態によれば、粘着性物質（７）は粘着性接着剤または両面接着テープである。
【００１６】
一実施形態では、粘着性物質（７）は少なくとも１種の誘引剤（ａｔｔｒａｃｔｉｖｅ  ａｇｅｎｔ）をさらに含む。一実施形態では、少なくとも１種の誘引剤は性的誘引物質またはフェロモンである。
【００１７】
一実施形態によれば、トラップ（１）は硬質材料で作られている。一実施形態では、硬質材料は、プラスチック、木材、高密度段ボール紙、金属、ガラス、ポリスチレン、石膏およびそれらの組み合わせからなる群から選択される。
【００１８】
一実施形態によれば、トラップ（１）は粗い内面を有する。一実施形態では、粗い内面は粗い内側の床である。
【００１９】
一実施形態では、トラップ（１）は約２ｃｍ〜約５００ｃｍの範囲の長さの細長いストリップである。一実施形態では、トラップ（１）は、長手軸（４）の各側に２つの開口（６）側面を含む。
【００２０】
別の実施形態では、トラップ（１）は約２ｃｍ〜約１５ｃｍの範囲の直径の円形トラップである。
【００２１】
一実施形態によれば、トラップ（１）は、脱皮動物が前記トラップに入るのに十分に大きな開口部（６）を含む。一実施形態では、開口部（６）は約０．１ｍｍ〜約２０ｍｍの範囲の高さを有する。
【００２２】
本発明の別の目的は、上記トラップ（１）を用意する工程を含む脱皮動物を捕獲するための方法である。
【００２３】
定義
本発明では、以下の用語は以下の意味を有する。
【００２４】
「約」という用語は、「およそ」、「大体」、「〜前後」または「〜の範囲」を意味するように本明細書で使用される。「約」という用語が数値範囲と共に使用されている場合、その用語は記載されている数値の上下限値を拡大させることによってその範囲を修正する。一般に、「約」という用語は、指示されている値を超える数値およびそれに満たない数値を２０％、好ましくは１０％、より好ましくは５％の分散によって修正するように本明細書で使用される。
【００２５】
「長手方向に」は、材料の長さの方向に延在していることを意味する。
【図面の簡単な説明】
【００２６】
【図１】図１Ａおよび図１Ｂは本発明に係るトラップ１の全体的斜視図である。
【図２】図２Ａおよび図２Ｂは床２が図の上部に表され、かつ屋根３が図の底部に表されるように反転されている図１Ａおよび図１Ｂのトラップの斜視図である。
【図３】図１Ｂのトラップの正面図である。
【図４】図１Ａのトラップの側面図である。
【図５】本発明に係るトラップ１の第２の実施形態の全体的斜視図である。
【図６】図５のトラップの側面図である。角度αは本トラップの底部における屋根３と床２との角度を表し、角度βは開口部における本トラップの屋根３と床２との角度を表す。
【図７】本発明に係るトラップ１の第３の実施形態の全体的斜視図である。
【図８】図７のトラップの側面図である。
【図９】本発明に係るトラップ１の第４の実施形態の全体的斜視図である。
【図１０】屋根３を含まない図９のトラップの上面図である。
【図１１】図９のトラップの正面図である。
【図１２】本発明に係るトラップ１の第５の実施形態の全体的斜視図である。
【図１３】図１３Ａおよび図１３Ｂは、床２が図の上部に表され、かつ屋根３が図の底部に表されるように反転されている図１２のトラップの２つの実施形態の斜視図である。
【図１４】軸ａに沿った図１２の断面図である。
【図１５】床２を含まない図１２のトラップの底面図である。
【図１６】図１６Ａおよび図１６Ｂは本発明に係るトラップ１の他の実施形態の斜視図である。
【図１７】図１７Ａは屋根３が滑らかな材料９で被覆されている図１Ａのトラップの側面図である。図１７Ｂは、屋根３がトラップ１の上縁を超えて延在する滑らかな材料９で被覆されている図１Ａのトラップの側面図である。図１７Ｃは屋根３がトラップ１の上縁を超えて延在する滑らかな材料９で被覆されており、かつ床２が両面接着テープ８で覆われている図１Ａのトラップの側面図である。
【図１８】図１８Ａ〜図１８Ｄは、図１Ｂ、図７または図１２のトラップの用途の例を示す。
【図１９】図１９Ａおよび図１９Ｂは、床２が図の上部に表され、かつ屋根３が図の底部に表されるように反転されている取り付け手段８を含む図１Ｂおよび図１２のトラップの斜視図である。
【図２０】トコジラミのためのトラップ１の最適な開口部高さを示すグラフである。
【図２１】トコジラミのためのトラップ１の最適な幅を示すグラフである。
【図２２】脱皮動物のサイズに従うそれらを捕獲するためのトラップ１の最小の開口部高さを示すグラフである。
【図２３】屋根３が凹状である本発明に係るトラップ１の一実施形態の全体的斜視図である。
【図２４】図２３のトラップの側面図である。
【発明を実施するための形態】
【００２７】
以下の詳細な説明は図面と共に読めばより理解が深まるであろう。例示のために、本トラップは好ましい実施形態として示されている。但し当然のことながら、その用途は図示されている正確な配置、構造、特徴、実施形態および態様に限定されない。図面は縮尺どおりではなく、特許請求の範囲を示されている実施形態に限定するものではない。従って当然のことながら、添付の特許請求の範囲において言及されている特徴に参照符号が付されている場合、そのような符号は単に特許請求の範囲の理解度を高めるために含まれており、決して特許請求の範囲を限定するものではない。
【００２８】
本発明は、粘着性物質を含む脱皮動物を捕獲するための装置に関する。従って本発明は、粘着性物質を含む脱皮動物トラップ１、好ましくは脱皮動物捕獲トラップに関する。
【００２９】
図１〜図１９および図２３〜図２４は本発明に係るトラップを示す。
【００３０】
図１に示すように、トラップ１は、脱皮動物がその中に爬行することができる狭いスリット状開口部を提供するために、本トラップの横方向幅の大部分において短い距離で分離されている床２および屋根３を有する。
【００３１】
大部分の実際のトラップでは、床の内側上面は、脱皮動物を捕獲するための粘着性接着剤の被覆を有する。但し、脱皮動物が接着剤上を爬行するか自身の脚をその上に置いた場合の脱皮動物と接着剤との接触は忌避的である。従って、脱皮動物は最初の接触時にこのようなトラップから逃げる。
【００３２】
本出願人は、屋根の内面またはトラップの壁の上に被覆された接着剤により脱皮動物の脚または腹側が接着剤に接触しないようにすることができることを示す。従って、粘着性物質は本トラップに入った際に脱皮動物によって気づかれない。
【００３３】
さらに、本出願人は、自身の背面に粘着性物質が付着した脱皮動物は他の個体に警報を発するフェロモンを分泌しないことを示す。
【００３４】
従って、粘着性物質を床ではなく本トラップの内面に塗布することによって、脱皮動物は粘着性物質に気づくことなく本トラップに入り、こうしてさらに内部に移動し、そこで脱皮動物は粘着性物質に付着し、その際、警報フェロモンを全く分泌しない。床の上に粘着性物質を有するトラップとは異なり、出願人は、脱皮動物が捕獲されるにつれて本トラップの効率が徐々に高まることを実証する（実施例４を参照）。従って、本発明のトラップによって捕獲された脱皮動物は他の個体を誘引するシグナルを生成し続ける。
【００３５】
従って、トラップ１の床２の内側上面が前記粘着性物質７で被覆されていないという条件で、トラップ１の少なくとも１つの内面は粘着性物質７の被覆を有する。一実施形態では、粘着性物質７で被覆された少なくとも１つの内面は屋根３の内面および／または内壁５の表面である。一実施形態では、床２は粘着性物質７で被覆されていない。
【００３６】
図２に示すように、粘着性物質７で被覆された少なくとも１つの内面は屋根３の内面であってもよい。言い換えると、一実施形態では、トラップ１の屋根３の内面は粘着性物質７で被覆されている。
【００３７】
一実施形態では、トラップ１は脱皮動物、好ましくは昆虫および／またはクモ類に合わせてサイズ決めされている細長いストリップであり、それらを誘引するように設計されている。
【００３８】
一実施形態では、トラップ１は、約２ｃｍ〜約１００ｃｍ、好ましくは約５ｃｍ〜約９０ｃｍ、より好ましくは約１０ｃｍ〜約８０ｃｍの長さである。好ましい実施形態では、トラップ１は、約１５、２０、２５、３０、３５、４０、４５または５０ｃｍの長さである。特定の実施形態では、トラップ１は、一般的な最も幅広なサイズのドア通路に適合するように約６３、７３、８３または９３ｃｍの長さである。
【００３９】
別の実施形態では、トラップ１は、例えばマットレス、カウチまたは壁の全長に沿ってなど、本トラップを配置することができるより長い場所に適合するように１００ｃｍ超の長さを有する。一実施形態では、トラップ１は、約１００ｃｍ〜約５００ｃｍの長さである。特定の実施形態では、トラップ１は、約１２０ｃｍ、１４０ｃｍ、１６０ｃｍ、１８０ｃｍ、１９０ｃｍまたは２００ｃｍである。特定の実施形態では、本トラップの長さはマットレスの一般的な長さおよび幅に適合するように構成されている。
【００４０】
別の実施形態では、トラップ１は５００ｃｍ超の長さを有する。この実施形態によれば、トラップ１は最小の場所を占めるように、ロール形態または他の形態で包装されていてもよい。
【００４１】
一実施形態では、トラップ１は、約０．５ｃｍ〜約１０ｃｍ、好ましくは約１ｃｍ〜約８ｃｍ、より好ましくは約１．５ｃｍ〜約６ｃｍ、さらにより好ましくは約２ｃｍ〜約４ｃｍの幅である。特定の実施形態では、トラップ１は、約０．５、１、１．５、２、２．５、３、３．５、４、４．５または５ｃｍの幅である。別の特定の実施形態では、トラップ１は、約６、６．５、７、７．５、８、８．５、９、９．５または１０ｃｍの幅である。
【００４２】
別の実施形態では、トラップ１は長手軸４を有する細長いストリップであり、ここでは図７および図８に示すように傾斜した屋根は長手軸４の各側にわたって延在している。この実施形態によれば、トラップ１は長手軸４の各側に１つずつの２つの開口側面を含む。
【００４３】
別の実施形態では、トラップ１は脱皮動物、好ましくは昆虫および／またはクモ類に合わせてサイズ決めされている円形トラップであり、それらを誘引するように設計されている。
【００４４】
一実施形態では、トラップ１は、約２ｃｍ〜約１５ｃｍ、好ましくは約４ｃｍ〜約１２ｃｍ、より好ましくは約５ｃｍ〜約１０ｃｍの直径である。好ましい実施形態では、トラップ１は、約４、５、６、７、８、９または１０ｃｍの直径である。特定の実施形態では、トラップ１の直径は、ベッド脚部の一般的な最も幅広の直径に適合するようにサイズ決めされている。
【００４５】
別の実施形態では、トラップ１は四角形状を有する。
【００４６】
一実施形態では、トラップ１は、約２ｃｍ〜約１５ｃｍの四角形、好ましくは約４ｃｍ〜約１２ｃｍの四角形、より好ましくは約５ｃｍ〜約１０ｃｍの四角形である。好ましい実施形態では、トラップ１は、約４、５、６、７、８、９または１０ｃｍの四角形である。特定の実施形態では、トラップ１の形状は、一般的な最も幅広のテーブル脚部、洋服だんす脚部、机脚部などに適合するようにサイズ決めされている。
【００４７】
トラップ１の形状（細長、円形または四角形）に関わらず、屋根３は図４および図１４に示すように傾斜した屋根であってもよい。一実施形態では、屋根３の傾斜は開口部からトラップ１の背部まで一直線であり、すなわち、傾斜の程度は図４に示すように屋根３に沿って同じである。
【００４８】
別の実施形態では、傾斜の程度は屋根３に沿って変化する。この実施形態によれば、屋根３の傾斜の程度はトラップ１の底部よりもトラップ１の開口部においてより大きくてもよい。一実施形態では、屋根３の傾斜は本トラップの底部から本トラップの開口部６に向かって大きくなっている。
【００４９】
一実施形態では、屋根３は少なくとも２つの別個の傾斜を含む。一実施形態では、屋根３は、図６に示すように少なくとも２つの連続する傾斜を含む。一実施形態では、屋根３は少なくとも２つの別個の連続する傾斜を含む。特定の実施形態では、屋根３は２つの別個の傾斜を有する。
【００５０】
一実施形態では、屋根３の傾斜は、床２から約０．０１°〜約０．１°、好ましくは約０．０５°〜約０．８°、より好ましくは約０．１°〜約０．５°、さらにより好ましくは約０．１°〜約０．３°の範囲の角度を表す。特定の実施形態では、屋根３の傾斜は床２から約０．１°の角度を表す。別の特定の実施形態では、屋根３の傾斜は床２から約０．３°の角度を表す。
【００５１】
一実施形態では、トラップ１の開口部における屋根３の傾斜は、床２から約０．１°〜約０．５°、好ましくは約０．２°〜約０．３°の範囲の角度を表す。一実施形態では、トラップ１の底部における屋根３の傾斜は、床２から約０．０５°〜約０．２°、好ましくは約０．１°〜約０．１５°の範囲の角度を表す。一実施形態では、トラップ１の開口部における屋根３の傾斜は床２から約０．２５°の角度を表し、かつトラップ１の底部における屋根３の傾斜は床２から約０．１°の角度を表す。
【００５２】
一実施形態では、屋根３は第１の傾斜および第２の傾斜を有し、ここでは第１の傾斜はトラップ１の底部で開始し、かつ第２の傾斜はトラップ１の開口部で終了する。一実施形態では、屋根３の第１の傾斜は、床２から約０．０５°〜約０．２°、好ましくは約０．１°〜約０．１５°の範囲の角度を表す。一実施形態では、屋根３の第２の傾斜は、床２から約０．１°〜約０．５°、好ましくは約０．２°〜約０．３°の範囲の角度を表す。一実施形態では、屋根３の第１の傾斜は床２から約０．１°の角度を表し、かつ屋根３の第２の傾斜は床２から約０．２５°の角度を表す。
【００５３】
図６を参照すると一実施形態では、角度αは床２から約０．０５°〜約０．２°、好ましくは約０．１°〜約０．１５°の範囲である。さらに図６を参照すると一実施形態では、角度βは床２から約０．１°〜約０．５°、好ましくは約０．２°〜約０．３°の範囲である。
【００５４】
別の実施形態では、屋根３は長手方向線４から上方に向かってアーチ状であってもよい。この実施形態によれば、屋根３は、開口部６において床２に平行になるように長手方向線から上方に向かってアーチ状であってもよい。特定の実施形態では、屋根３は図２３および図２４に示すように凹状である。別の特定の実施形態では、屋根３は凸状である。
【００５５】
別の実施形態では、床２は傾斜した床であるが、屋根３はまっすぐに水平である。
【００５６】
一実施形態では、床２の傾斜は開口部からトラップ１の背部まで一直線であり、すなわち、傾斜の程度は床２に沿って同じである。別の実施形態では、傾斜の程度は床２に沿って変化する。この実施形態によれば、床２の傾斜の程度はトラップ１の底部よりもトラップ１の開口部においてより大きくてもよい。一実施形態では、床２の傾斜は本トラップの底部から本トラップの開口部６に向かって大きくなっている。
【００５７】
一実施形態では、床２は少なくとも２つの別個の傾斜を有する。一実施形態では、床２は少なくとも２つの連続する傾斜を含む。一実施形態では、床２は少なくとも２つの別個の連続する傾斜を含む。特定の実施形態では、床２は２つの別個の傾斜を有する。
【００５８】
一実施形態では、床２の傾斜は、屋根３から約０．０１°〜約０．１°、好ましくは約０．０５°〜約０．８°、より好ましくは約０．１°〜約０．５°、さらにより好ましくは約０．１°〜約０．３°の範囲の角度を表す。特定の実施形態では、床２の傾斜は屋根３から約０．１°の角度を表す。別の特定の実施形態では、床２の傾斜は屋根３から約０．３°の角度を表す。
【００５９】
一実施形態では、トラップ１の開口部における床２の傾斜は、屋根３から約０．１°〜約０．５°、好ましくは約０．２°〜約０．３°の範囲の角度を表す。一実施形態では、トラップ１の底部における床２の傾斜は、屋根３から約０．０５°〜約０．２°、好ましくは約０．１°〜約０．１５°の範囲の角度を表す。一実施形態では、トラップ１の開口部における床２の傾斜は屋根３から約０．２５°の角度を表し、かつトラップ１の底部における床２の傾斜は屋根３から約０．１°の角度を表す。
【００６０】
一実施形態では、床２は第１の傾斜および第２の傾斜を有し、ここでは第１の傾斜はトラップ１の底部で開始し、かつ第２の傾斜はトラップ１の開口部で終了する。一実施形態では、床２の第１の傾斜は、屋根３から約０．０５°〜約０．２°、好ましくは約０．１°〜約０．１５°の範囲の角度を表す。一実施形態では、床２の第２の傾斜は、屋根３から約０．１°〜約０．５°、好ましくは約０．２°〜約０．３°の範囲の角度を表す。一実施形態では、床２の第１の傾斜は屋根３から約０．１°の角度を表し、かつ床２の第２の傾斜は屋根３から約０．２５°の角度を表す。
【００６１】
一実施形態では、床２はアーチ状であってもよい。一実施形態では、床２は凹状である。別の実施形態では、床２は凸状である。
【００６２】
当業者であれば、脱皮動物のサイズは生物種によって異なり得るため、捕獲される脱皮動物の種類に従って屋根３または床２によって画定される角度はそれに応じて異なってもよいことを理解するであろう。
【００６３】
一実施形態では、開口部６は脱皮動物が本トラップに入るのに十分な高さを有する。好ましい実施形態では、開口部６は、約０．１ｍｍ〜約２０ｍｍの高さ、好ましくは約０．５ｍｍ〜約１５ｍｍの高さ、より好ましくは約１ｍｍ〜約１０ｍｍの高さを有する。特定の実施形態では、開口部６は、約１、１．５、２、２．５、３、３．５、４、４．５または５ｍｍの高さを有する。他の特定の実施形態では、開口部６は、約６、６．５、７、７．５、８、８．５、９、９．５または１０ｍｍの高さを有する。好ましい実施形態では、開口部６は約１．５ｍｍの高さを有する。別の好ましい実施形態では、開口部６は約１．７ｍｍの高さを有する。
【００６４】
例示として、開口部６の高さは成虫のトコジラミの場合、０．５ｍｍ〜５ｍｍ、好ましくは０．８ｍｍ〜４ｍｍ、より好ましくは１ｍｍ〜２ｍｍであってもよい。好ましい実施形態では、開口部６の高さは成虫のトコジラミの場合、約１．５または１．７ｍｍである。
【００６５】
当業者であれば、脱皮動物のサイズは種によって異なり得るため、捕獲される脱皮動物の種類に従って開口部６の高さはそれに応じて異なってもよいことを理解するであろう。
【００６６】
一実施形態では、本発明のトラップの間隙は、脱皮動物が壁５の間を通り抜けるのに十分に広く、かつ主として走触性の脱皮動物が壁５に密着するように十分に狭い。
【００６７】
当業者であれば、脱皮動物のサイズは生物種によって異なり得るため、捕獲される脱皮動物の種類に従って間隙の幅はそれに応じて異なってもよいことを理解するであろう。特定の実施形態では、「脱皮動物が壁の間を通り抜けるのに十分に大きい間隙を有する」とは、間隙幅が１ｃｍ未満、最大で数ｃｍ、例えば１ｃｍ、２ｃｍ、３ｃｍ、４ｃｍ、５ｃｍまたはそれ以上であってもよいことを意味する。一実施形態では、間隙幅は約１ｍｍ〜約１５ｃｍであってもよい。特定の実施形態では、間隙は約１、２、３、４、５、６、７、８または９ｍｍの幅であってもよい。他の特定の実施形態では、間隙は約１．５、２．５、３．５、４．５または５．５ｃｍの幅であってもよい。
【００６８】
例示として、間隙の幅は成虫のトコジラミの場合、０．１ｃｍ〜５ｃｍ、好ましくは０．５ｃｍ〜４ｃｍ、より好ましくは１ｃｍ〜２ｃｍであってもよい。好ましい実施形態では、間隙の幅は成虫のトコジラミの場合、約２ｃｍである。
【００６９】
一実施形態では、間隙は全て同じサイズ、すなわち同じ幅を有していてもよい。別の実施形態では、間隙は様々な幅を有していてもよい。
【００７０】
図１６Ａに示すように、トラップ１はいくつかの階を含んでいてもよい。一実施形態では、各階は粘着性物質７で被覆された屋根３を含む。一実施形態では、粘着性物質７は屋根３の内面に被覆されている。
【００７１】
図１６Ｂに示すように、トラップ１は、滑らかなプラスチックなどの滑らかな材料９によって形成された中実階をさらに含んでいてもよい。脱皮動物は一般に粗い材料の上を爬行または歩行することを好む。特に、脱皮動物は滑らかな垂直面の上を爬行または歩行しない。この実施形態の利点は、脱皮動物がトラップ１の上部を爬行したり這い上がったりせず、そのため、トラップ１がベッド脚部の下に置かれている場合に、例えばベッドなどのトラップ１の上方にあるものに接近しないという点である。
【００７２】
どの実施形態であっても、屋根３は垂直壁５によって維持されていてもよい。一実施形態では、屋根３は垂直壁５によって傾斜された状態に維持されている。別の実施形態では、屋根３は垂直壁５によって水平に維持されている。
【００７３】
一実施形態では、壁５は硬質もしくは半硬質材料で作られている。一実施形態では、壁５の材料は、プラスチック、木材、段ボール紙、合板紙もしくは板紙、金属、ガラス、発泡ポリスチレンなどのポリスチレンまたは石膏である。
【００７４】
一実施形態では、トラップ１は、図１Ｂおよび図２Ｂに示すように外壁５ａおよび／または内壁５ｂを含む。
【００７５】
壁５は、例えば人が不注意で本トラップの上に立った場合に、それ以上に大きな望ましくない物体が粘着性物質７に接触しないように防止する。壁５は使用前または使用後のいずれかに本トラップを取り扱う際にトラップ１に剛性も与える。
【００７６】
一実施形態では、内壁５ｂはトラップ１内をいくつかの間隙に区切る。本明細書で使用される「間隙」という用語は、床と天井との仕切りすなわち内壁によって区切られている長手方向空間を意味する。「間隙」という用語は、「廊下」、「ホール」、「セル」などで置き換えてもよい。
【００７７】
一実施形態では、トラップ１は内壁５ｂを含まず、外壁５ａによって区切られた１つのみの間隙を含む。
【００７８】
図９に示すように、粘着性物質７で被覆された少なくとも１つの内面は、壁５の内面であってもよい。言い換えると一実施形態では、トラップ１の壁５の内面は粘着性物質７で被覆されている。
【００７９】
一実施形態では、粘着性物質７で被覆された壁５の内面は外壁５ａの内面である。別の実施形態では、粘着性物質７で被覆された壁５の表面は内壁５ｂの少なくとも１つの表面である。別の実施形態では、粘着性物質７で被覆された壁５の内面は、外壁５ａの内面および内壁５ｂの少なくとも１つの表面である。特定の実施形態では、トラップ１の壁５の全ての内面が粘着性物質７で被覆されている。
【００８０】
図１０に示すように、２つの隣接する壁５は凸角１０を形成している。特定の実施形態では、２つの隣接する壁５は約１°〜約４０°、好ましくは約５°〜約３５°、より好ましくは約１０°〜約３０°の範囲の角度１０を形成している。一実施形態では、２つの隣接する壁５によって形成される凸角１０は、脱皮動物が本トラップに入るのに十分に大きな開口部が得られるような角度である。
【００８１】
一実施形態では、トラップ１は１つの開口側面を含んでいてもよい。別の実施形態では、トラップ１は２つの開口側面を含んでいてもよい。
【００８２】
図１３Ｂに示すように、屋根３の内面および少なくとも１つの壁５の内面は粘着性物質７で被覆されていてもよい。
【００８３】
どの実施形態であっても、トラップ１の少なくとも１つの内面の少なくとも一部は粘着性物質７を含む。
【００８４】
どの実施形態であっても、粘着性物質７は、連続的なストリップにおいて本トラップの長さ全体にわたって少なくとも１つの内面に塗布されていてもよいが、屋根３の長手縁部から奥まり、かつ屋根３の末端縁部からも奥まった領域に限定されている。床２、屋根３および壁５の外面、それらの縁部および屋根３の内面および／または壁５の辺縁の奥まった領域は粘着性物質７を含まず、これによりトラップ１の取り扱いおよび使用を容易かつ安全なものにする。
【００８５】
別の実施形態では、粘着性物質７は、連続的なストリップにおいてトラップ１の長さ全体にわたって奥まった領域を含まずにトラップ１の縁部まで少なくとも１つの内面に塗布されていてもよい。
【００８６】
さらに、本発明のトラップは、落とし穴捕獲の場合のようにタルク粉のような流体または粉末の使用を必要としない。これは、汚れがなく使用が容易なトラップを提供するという利点を有する。
【００８７】
本発明のトラップの第２の利点は、多種多様な脱皮動物種、好ましくは昆虫および／またはクモ類のために設計されており、かつ十分に大きな開口部６によりサイズ決めされているという点である。
【００８８】
別の利点は、捕獲されるほぼ全てのサイズの脱皮動物を許容する、傾斜した屋根３または凸角を形成している壁５である。脱皮動物は十分に大きい開口部６を通って進入し、次いでトラップ１の中をそれらのサイズに対応する屋根３の高さまたは壁５の間の角度に達するまでさらに奥に進むことができる。この時点で、それらは粘着性物質７で被覆された屋根３または壁５に接触して捕獲される。
【００８９】
さらに、脱皮動物は、トラップ１の内部に付着し、周囲には付着せず、これにより本トラップを取り扱ったり移動させたりする際に脱皮動物が取り外れないようにする。さらに、トラップ１の内部に付着した脱皮動物は、他の脱皮動物がトラップ１に入ることができる空いた場所を残す。
【００９０】
さらに他のトラップとは異なり、本発明のトラップ１は脱皮動物が警報フェロモンを分泌するのを促さないが、代わりに脱皮動物がそれらの同属種を誘引する良好なシグナルを送るのを促す。
【００９１】
本発明のトラップの別の利点は、例えば壁に沿って置くかベッド脚部の下に置くように構成されているその目立たない設計である。この利点は、ホテルの部屋などの特定の条件下で有用であり得る。
【００９２】
「粘着性物質」とは、その物質が物体、この場合は脱皮動物、好ましくは昆虫および／またはクモ類をそこに接着または付着させることを目的としていることを意味する。「粘着性（ｓｔｉｃｋｙ）」という用語は「粘着性（ｔａｃｋｙ）」という言葉で置き換えてもよい。
【００９３】
粘着性物質７の例としては、限定されるものではないが、粘着性接着剤および両面接着テープが挙げられる。
【００９４】
一実施形態では、粘着性物質７は乾かない物質である。一実施形態では、粘着性物質７は粘着性または接着性のままである物質である。一実施形態では、粘着性物質７は長時間粘着性または接着性のままである物質である。本明細書で使用される「長時間」という用語は、少なくとも１２時間、２４時間、３６時間、４８時間またはそれ以上を意味する。好ましい実施形態では、粘着性物質７は、少なくとも３、４、５、６または７日間粘着性または接着性のままである物質である。一実施形態では、粘着性物質７は、脱皮動物を適所に維持するのに十分な程に強力である。
【００９５】
一実施形態では、粘着性物質７は、ポリブテン油とポリイソブチレンとの混合物を含む。
【００９６】
一実施形態では、粘着性物質７の組成は５〜１５重量％のポリイソブチレンであり、その残りがポリブテン油である。特定の実施形態では、粘着性物質７の組成は９０重量％のポリブテン油および１０重量％のポリイソブチレンである。
【００９７】
材料の粘着力およびひいては粘着特性を高めるために、ポリイソブチレンがポリブテン油に添加される。ポリイソブチレンを使用しない場合、ポリブテン油の粘度は脱皮動物を捕獲するにはあまりに高すぎたり低すぎたりする場合がある。ポリブテン油が十分に粘性でない場合、脱皮動物はその材料から逃げることができ、かつその材料が被覆されている屋根から流れ落ちることもある。
【００９８】
別の実施形態では、粘着性物質７は、非毒性の天然接着剤、木から得られる接着剤（ＧＬＵ  ＰＥＬＴＯＮ（登録商標）など）、Ｐｌｏｄｉｅトラップの接着剤（ＢＥＬＧＡＧＲＩ（登録商標））、Ｔｉｎｅｏｌａトラップの接着剤（ＢＥＬＧＡＧＲＩ（登録商標））、Ｒａｔ接着剤（ＥＤＩＡＬＵＸ（登録商標））、Ｆｌｙ  Ｃａｔｃｈｅｒ  Ｓｐｉｒａｌトラップの接着剤（ＢＥＬＧＡＧＲＩ（登録商標））、食糧ガトラップの接着剤（ＡＥＲＯＸＯＮ（登録商標））、またはＣａｆ−Ｋトラップの接着剤（ＢＥＬＧＡＧＲＩ（登録商標））である。好ましい実施形態では、粘着性物質７は、Ｆｌｙ  Ｃａｔｃｈｅｒ  Ｓｐｉｒａｌトラップの接着剤（ＢＥＬＧＡＧＲＩ（登録商標））、食糧ガトラップの接着剤（ＡＥＲＯＸＯＮ（登録商標））、Ｃａｆ−Ｋトラップの接着剤（ＢＥＬＧＡＧＲＩ（登録商標））およびＳＰＩＤＡＴＲＡＰ（登録商標）の接着剤を含む群から選択される。
【００９９】
別の実施形態では、粘着性物質７は、両面接着テープＡＸＴＯＮ（登録商標）（参照番号５５７０３４８、Ｗｅｌｄｏｍ社）、両面接着テープＴＥＳＡ（登録商標）（参照番号５６１７０、Ｔｅｓａ社）、またはＥｃｏ  Ｆｉｘａｔｉｏｎ両面接着テープＴＥＳＡ（登録商標）（参照番号５６４５０、Ｔｅｓａ社）、好ましくは両面接着テープＡＸＴＯＮ（登録商標）（参照番号５５７０３４８、Ｗｅｌｄｏｍ社）などの両面接着テープである。
【０１００】
粘着性物質またはフィルムの使用は昆虫トラップにおいて一般的である。例えば、米国特許第４，７０９，５０４号および第８，３７１，０６４号を参照されたい。
【０１０１】
一実施形態では、用途の要件に応じて例えば蝋などのさらなる成分を当該組成物に添加してもよい。
【０１０２】
一実施形態では、粘着性物質７は無臭であってもよく、不快でない（ｎｏｎ−ｒｅｐｕｌｓｉｖｅ）匂いを有していてもよく、あるいは、例えばコリアンダー（学名：Ｃｏｒｉａｎｄｒｕｍ  ｓａｔｉｖｕｍ）、スペアミント（学名：Ｍｅｎｔｈａ  ｓｐｉｃａｔａ）の精油またはそれらの組み合わせなどの誘引的な匂いを有していてもよい。
【０１０３】
一実施形態では、粘着性物質７は少なくとも１種の誘引剤をさらに含んでいてもよい。特定の実施形態では、少なくとも１種の誘引剤は性的誘引物質またはフェロモンである。
【０１０４】
性的誘引物質またはフェロモンの例としては、限定されるものではないが、トランス−２−ヘキセナール、４−オキソ−（Ｅ）−２−ヘキセナール、４−オキソ−（Ｅ）−２−オクテナール、インドセンダン（学名：Ａｚａｄｉｒａｃｈｔａ  ｉｎｄｉｃａ）の精油、コリアンダー（学名：Ｃｏｒｉａｎｄｒｕｍ  ｓａｔｉｖｕｍ）の精油、シトロネラジャワ（学名：Ｃｙｍｂｏｐｏｇｏｎ  ｗｉｎｔｅｒｉａｎｕｓ）の精油、ラベンダースーパー（学名：Ｌａｖａｎｄｕｌａ  ｂｕｒｎａｔｉｉ）の精油、スパイクラベンダー（学名：Ｌａｖａｎｄｕｌａ  ｌａｔｉｆｏｌｉａ）の精油、真正ラベンダー（学名：Ｌａｖａｎｄｕｌａ  ａｎｇｕｓｔｉｆｏｌｉａ）の精油、クローブ（学名：Ｅｕｇｅｎｉａ  ｃａｒｙｏｐｈｙｌｌｕｓ）の精油、ペパーミント（学名：Ｍｅｎｔｈａ  ｐｉｐｅｒｉｔａ）の精油、スペアミント（学名：Ｍｅｎｔｈａ  ｓｐｉｃａｔａ）の精油、ハッカ（学名：Ｍｅｎｔｈａ  ａｒｖｅｎｓｉｓ）の精油、ティーツリー（学名：Ｍｅｌａｌｅｕｃａ  ａｌｔｅｒｎｉｆｏｌｉａ）の精油、バニラ（学名：Ｖａｎｉｌｌａ  ｐｌａｎｉｆｏｌｉａ）の精油、バニラ（学名：Ｖａｎｉｌｌａ  ｆｒａｇｒａｎｓ）の精油、クローブ（学名：Ｅｕｇｅｎｉａ  ｃａｒｙｏｐｈｙｌｌｕｓ）の精油、イランイランノキ（学名：Ｃａｎａｇａ  ｏｄｏｒａｔａ）の精油、オリーブ油、ノナナール、デカナール、（２Ｅ，４Ｅ）−オクタジエナール、ベンズアルデヒド、（＋）−および（−）−リモネン、６−メチル−５−ヘプテン−２−オン、ベンジルアルコール、パルミチン酸、リノール酸、ラウリン酸、ミリスチン酸、ペンタデカン酸、スクアレン、２，２−ジメチル−１，３−ジオキソラン−４−メタノール、アンドロステノン、３−メチルインドール、ヘキセナール、オクテナール、酪酸、Ｃ７〜Ｃ１０アルデヒド、プロピオン酸、吉草酸、オクテノール、Ｌ−乳酸、ゲラニルアセトン、１−オクテン−３−オール、Ｌ−カルボン（Ｌ−ｃａｒｂｏｎｅ）、酪酸エチル、ジメチルジスルフィド、ジメチルトリスルフィド、アンドロステノン、アンドロスタジエノン（ａｎｄｒｏｓｔａｄｉｅｎｏｎｅ）、グアニン、メタノール、メタン、フラン、ピリジン、ゲラニルアセトン、１−ドデカノール、３−メチル−１−ブタノール、カルボン酸、尿素、インドール、アセトン、ブトン（ｂｕｔｏｎｅ）、２−ペンタノン、２−ヘキサノン、３−ペンタノン、３−ヘキサノン、３−ヘプタノン、４−ヘプタノン、５−ノナノン、３−メチル−２−ブタノン、４−メチル−２−ペンタノン、３−ペンテン−２−オン、３−ブテン−２−オン、３−ヒドロキシ−２−ブタノン、２，３−ブタンジオンまたは２，４−ペンタンジオン、二硫化炭素、ジメチルスルフィド、ジエチルスルフィド、ジエチルジスルフィド、メチルプロピルジスルフィド、エチルビニルスルフィド、ジメチルスルホキシド、ジメチルトリスルフィド、ジメチルスルホキシド、アンモニアゴム、３−カレン、２−エチルヘキサノール、Ｌ−メントール、α−テルピネオール、２−デセン−１−オール、デカナール、（３）−シンナムアルデヒド、トリデカン、テトラデカン、ロンギホレン、ペンタデカン、フタル酸ジエチル、セドロール、ヘプタデカン、���ンタデカナール、テトラデカン酸、ペンタデカン酸、ヘキシルシンナムアルデヒド、オクタデカン、ミリスチン酸イソプロピル、ガラクソリド、７−メチル−Ｚ−テトラデセン−１−オールアセタート（７−ｍｅｔｈｙｌ−Ｚ−ｔｅｔｒａｄｅｃｅｎ−１−ｏｌ  ａｃｅｔａｔｅ）、２−メチルヘキサデカン−１−オール、フタル酸ジブチル、ヘキサデカン酸エチル、パルミチン酸イソプロピル、８−オクタデセナール（８−ｏｃｔａｄｅｃｅｎａｌ）、４−ヒドロキシオクタデカン酸メチル、Ｚ−５−メチル−６−ヘンエイコセン−１１−オン（Ｚ−５−ｍｅｔｈｙｌ−６−ｈｅｎｅｉｃｏｓｅｎ−１１−ｏｎｅ）、トルエン、１−エテニル−３−エチル−ベンゼン、１，３−ジエテニルベンゼン（１，３−ｄｉｅｔｈｅｎｙｌ−ｂｅｎｚｎｅ）、４−エチル−ベンズアルデヒド、３−フェニル−２−プロペナール、２−デセン−１−オール、（３）−シンナムアルデヒド（（３）−ｃｉｎｎａｍａｄｅｈｙｄｅ）、トリデカン、１−（４−エチルフェニル）−エタノン、テトラデカン、ペンタデカン、フタル酸ジエチル、１−クロロ−テトラデカン、ヘプタデカン、ペンタデカナール、テトラデカン酸、ペンタデカン酸、１，２−ベンゼンジカルボン酸、ジイソオクチルエステル、メトキシ−フェニル−オキシム（ｍｅｔｈｏｘｙ−ｐｈｅｎｙｌ  ｏｘｉｍｅ）、２−エチルヘキサノール、２，６−ジメチルウンデカン、２，２，７，７−テトラメチルオクタン、２，４，６−トリメチルデカン、ドデカン、α−テルピネオール、デカナール、２，６，１０−トリメチルドデカン、トリデカン、プロパン酸、２−メチル−、３−ヒドロキシ−２，４，４−トリメチルペンチルエステル、テトラデカン、ロンギホレン、１−ドデカノール、ペンタデカン、リリアール（ｌｉｌｉａｌ）、ヘキサデカン、フタル酸ジエチル、セドロール、ヘプタデカン、１Ｈ−インデン、２，３−ジヒドロ−１，１，３−トリメチル−３−フェニル−、オクタデカン、ミリスチン酸イソプロピル、ガラクソリド、フタル酸ジブチル、パルミチン酸イソプロピル、Ｎ−（２−エチルヘキシル）−５−ノルボルネン−２，３−ジカルボキシイミド、（２Ｅ，４Ｚ）−オクタジエナール、（２Ｅ，４Ｅ）−オクタジエナール、デカナール、ゲラニルアセトン、１−メトキシ−２−プロパノール、プロパン酸、２−メチルプロパン酸、ブタン酸、３−メチル−２−ブタノール、イソ吉草酸、メントール、ゲラニオール、シトラール、イソ酪酸、Ｎ−メチル−２−２’−イミノジエタノールおよびシトロネラールまたはそれらの混合物が挙げられる。
【０１０５】
一実施形態では、本発明のトラップは乾燥剤物質、すなわち水を吸収する物質をさらに含んでいてもよい。一実施形態では、乾燥剤物質は固体であっても液体であってもよい。一実施形態では、乾燥剤物質は床の内側上面、屋根の内面および／または本トラップの壁に被覆されていてもよい。好ましい実施形態では、乾燥剤物質は本トラップの底部に被覆されている。
【０１０６】
乾燥剤物質の例としては、限定されるものではないが、タルク、普通の塩、活性炭、二酸化ケイ素、硫酸カルシウム（ドライライト）、塩化カルシウム、粘土（好ましくは超通気性（ｕｌｔｒａ−ｖｅｎｔｉｌａｔｅｄ）の緑色粘土すなわちアタパルジャイト（ａｃｔａｐｕｌｇｉｔｅ））、珪藻土および分子篩（例えば、ゼオライト）などの粉末またはシリカゲルなどのゲルまたはそれらの混合物が挙げられる。
【０１０７】
一実施形態では、トラップ１はプラスチック、木材、高密度段ボール紙、金属、ガラス、ポリスチレン（発泡ポリスチレンなど）、石膏またはそれらの組み合わせなどの硬質材料で作られている。
【０１０８】
一実施形態では、トラップ１は硬質材料で作られており、かつ少なくとも１つの外側面が紙、低もしくは中密度段ボール紙、低もしくは中密度板紙または低もしくは中密度合板紙などの粗い材料で覆われている。
【０１０９】
別の実施形態では、トラップ１は、可撓性材料、例えば可撓性プラスチック、可撓性樹脂、可撓性ゴム、竹などの可撓性木材およびアルミニウムなどの可撓性金属またはそれらの組み合わせで作られている。
【０１１０】
一実施形態では、トラップ１はその組成物が誘引剤を含有するプラスチックで作られている。
【０１１１】
一実施形態では、トラップ１は可撓性材料で作られており、かつ屋根３は図１７Ａに示すように滑らかなプラスチックまたは滑らかな接着テープなどの粗くない、すなわち滑らかな材料９で覆われている。従って、脱皮動物は滑らかな材料表面上を滑るため、特にトラップ１が垂直面に置かれている場合にその上に這い上がることができない。図１７Ｂに示すように、滑らかな材料９はトラップ１よりも大きくてもよく、かつトラップ１の縁部を超えて延在していてもよい。この実施形態によれば図１７Ｃに示すように、床２は好ましくは、それ自体が剥離紙（図示せず）で覆われている両面接着テープ８などの取り付け手段で覆われている。
【０１１２】
一実施形態では、滑らかな材料９は屋根３に接着剤で取り付けられていてもよい。
【０１１３】
別の実施形態では、トラップ１は抵抗材料で作られている。特にトラップ１は、トラップ１を１個の家具または家庭用電化製品の下に置く場合に１個の家具または家庭用電化製品の重量を支持することができる材料で作られている。一実施形態では、抵抗材料としては、限定されるものではないが、プラスチック、木材、高密度段ボール紙、金属、ガラス、石膏またはそれらの組み合わせが挙げられる。
【０１１４】
一実施形態では、トラップ１は粗い内面を有する。本明細書で使用される「粗い」という用語は、その表面がその表面にざらざら、凹凸および／または起伏を含むことを意味する。特定の実施形態では、本発明のトラップは粗い床２を有する。一実施形態では、トラップ１は滑らかな床２を有していない。別の実施形態では、本発明のトラップは粗い壁５を有する。別の実施形態では、本発明のトラップ１の屋根３は粗い内面を有する。
【０１１５】
従って一実施形態では、床２、屋根３および／または壁５の材料は粗い材料である。粗い材料の例としては、限定されるものではないが、粗いガラス、例えば粗い鋼などの粗い金属、石膏、コンクリート、粗いプラスチック、木材、紙、ボール紙およびそれらの組み合わせが挙げられる。
【０１１６】
一実施形態では、粗い材料は、最大で約１０００グレーン／ｃｍ２の密度を有する。一実施形態では、粗い材料は、最大で約８００、６００、４００、２８０、２４０、２００、１８０、１２０または８０グレーン／ｃｍ２の密度を有する。一実施形態では、粗い材料は、約６０〜約１０００グレーン／ｃｍ２、好ましくは約８０〜約４００、より好ましくは約１２０〜約２８０グレーン／ｃｍ２、さらにより好ましくは約２００または２４０グレーン／ｃｍ２の密度範囲を有する。一実施形態では、粗い材料は、約２００〜約１０００グレーン／ｃｍ２、約２００〜約８００または約２００〜約６００グレーン／ｃｍ２の密度範囲を有する。一実施形態では、粗い材料は、約６０〜約４００グレーン／ｃｍ２、約１２０〜約２８０、約１８０〜約２４０グレーン／ｃｍ２または約２００〜約２４０グレーン／ｃｍ２の密度範囲を有する。一実施形態では、粗い材料は、約１２０〜約４００グレーン／ｃｍ２、約１８０〜約４００または約２００〜約４００グレーン／ｃｍ２の密度範囲を有する。別の実施形態では、粗い材料は約１８０グレーン／ｃｍ２の密度を有する。別の実施形態では、粗い材料は約２００グレーン／ｃｍ２の密度を有する。別の実施形態では、粗い材料は約２４０グレーン／ｃｍ２の密度を有する。別の実施形態では、粗い材料は、約２８０グレーン／ｃｍ２の密度を有する。別の実施形態では、粗い材料は、約４００グレーン／ｃｍ２の密度を有する。一実施形態では、当該材料の粗度は別の測定単位で設定されている上に記載されている材料と同等である。
【０１１７】
一実施形態では、床２、屋根３および／または壁５の材料は木材、紙、段ボール紙、板紙、合板紙またはプラスチックである。特定の実施形態では、トラップ１の内面は木材、紙、段ボール紙、板紙または合板紙、好ましくは段ボール紙、板紙、合板紙または粗いプラスチックを含む群またはそれらからなる群から選択される粗い材料で作られている。
【０１１８】
一実施形態では、プラスチックはポリプロピレン（ＰＰ）、ポリカーボネート（ＰＣ）、ポリアリールアミド（ＰＡＲＡまたはＰＡＡ）、またはポリブチレンテレフタレート（ＰＢＴ）である。一実施形態では、プラスチックはガラス繊維を含み、例えば５０〜６０％のガラス繊維を含むポリアリールアミドなどである。
【０１１９】
一実施形態では、粗い材料は、粗くなるように内面に隆起、ざらざら、凹凸および／または起伏を生成することによって作られていてもよい。一実施形態では、粗い材料は、粗くなるように内面に顆粒状の物質を被覆することによって作られていてもよい。別の実施形態では、粗い材料はサンドペーパーによる研磨によって作られていてもよい。
【０１２０】
一実施形態では、床２、屋根３および壁５は同じ材料で作られている。別の実施形態では、床２、屋根３および／または壁５は異なる材料で作られている。
【０１２１】
一実施形態では、床２、屋根３および／または壁５は、暗い内部を提供するために比較的不透明な材料で作られている。特定の実施形態では、トラップ１は、暗青色、暗灰色または好ましくは黒色などの暗い色を有する。一実施形態では、本発明のトラップは、暗黄色、暗橙黄色、暗赤色、暗紫色、暗緑色または暗褐色であってもよい。
【０１２２】
別の実施形態では、床２、屋根３および／または壁５は、例えば白色、黄色、赤色、青色、緑色などの着色材料で作られている。実際には、幾種かの脱皮動物は特定の色に対してより誘引される。例えば、テントウムシは他の色よりも白色に対してより誘引される。
【０１２３】
別の実施形態では、屋根３は、例えば透明なプラスチックまたは半透明紙（トレース紙など）などの比較的透明な材料で作られている。この実施形態によれば、本発明のトラップは脱皮動物の検出器または試験器として使用してもよい。
【０１２４】
本発明はさらに、脱皮動物、好ましくは昆虫および／またはクモ類を誘引するための方法に関する。
【０１２５】
一実施形態では、本発明の方法は上記トラップを用意する工程を含む。
【０１２６】
一実施形態では、本発明のトラップは、例えば窓、ドアおよび幅木などの脱皮動物、好ましくは昆虫および／またはクモ類が存在しそうな場所に置いてもよい。従って、本発明のトラップは、図１８Ａ〜図１８Ｄに示すように、ヘッドボード、家具（ナイトスタンドなど）および手工芸品の後ろ、マットレスおよびベッドシーツの縫い目に沿って、ボックススプリング内、ベッド脚部の下、テーブル脚部の下、洋服だんす脚部の下、机脚部の下、椅子脚部の下、カウチの下、家庭用電化製品の下、脚部のないベッドの下、ベッド脚部の周り、テーブル脚部の周り、洋服だんす脚部の周り、机脚部の周り、椅子脚部の周り、幅木に沿って、窓の木枠の周りなどに置いてもよい。
【０１２７】
特定の実施形態では、ベッド脚部、テーブル脚部、洋服だんす脚部または机脚部の周りに置かれた本発明のトラップは、例えばベッドなどの家具の上部からやって来る脱皮動物ならびに例えば１階などの底部からやって来る脱皮動物を捕獲することができるような、図７に示すようなトラップである。
【０１２８】
別の特定の実施形態では、図１８Ｄに示すように、トラップ１をマットレスの周りの至る所、カウチの座部の周りの至る所またはカウチの背部に沿った至る所などに置いてもよい。
【０１２９】
この実施形態によれば、トラップ１の屋根３は好ましくは滑らかな材料９で、より好ましくはトラップ１の全長に沿って覆われている。さらにこの実施形態によれば、滑らかな材料９は好ましくはトラップ１の上縁を超えて延在している。さらにこの実施形態によれば、床２は好ましくは、それ自体が剥離紙で覆われている両面接着テープ８などの取り付け手段で覆われている。
【０１３０】
一実施形態では、トラップ１は、トラップを互いに接合するためにトラップ１の上縁部および側縁部を超えて延在する滑らかな材料９でトラップ１の全長に沿って覆われた状態で、マットレスやカウチの座部などの各側に沿って置かれる。この実施形態によれば、マットレスやカウチの座部などは、滑らかな材料９で覆われたトラップ１によって全側面が取り囲まれており、かつ全ての角が滑らかな材料９によって取り囲まれている。これにより、脱皮動物が這い上がることができる空間を残さず、それにより上にいるヒトまたは動物を保護する。
【０１３１】
別の実施形態では、本発明のトラップを単に敷居を跨ぐか床またはラグの上に置くことによって使用してもよい。別の実施形態では、本発明のトラップを垂直面の上または水平面の下に置いてもよい。
【０１３２】
トラップ１の位置を固定するために、特に本トラップを垂直面の上、水平面の下またはさらには水平面の上に置く場合、トラップ１は、本トラップをそれが置かれる表面に取り付けるための取り付け手段をさらに含んでいてもよい。さらに、取り付け手段によりトラップ１をそれが置かれている表面の上に押し付け、それにより脱皮動物がトラップ１の下に潜るのを防止する。
【０１３３】
図１９に示すように、本発明のトラップには剥離紙（図示せず）によって覆われている両面接着テープ（または両面発泡体）８のストリップが設けられていてもよい。そのような両面接着剤８は周知であり、かつ多くの程度の接着力で市販されている。一実施形態では、弱い接着剤のみを使用する必要があり、かつ本トラップを使い捨てにするために、接着剤は本トラップを除去する場合に容易かつ完全に取り外すことができるものでなければならない。
【０１３４】
また一実施形態では、トラップ１は、場合により１つの先細り端部を有するトラップまたはＬ字形状を有する他のトラップを設けることによって本トラップを角の周りに適合させることができるように形成されていてもよい。
【０１３５】
一実施形態では、本発明のトラップは屋外または屋内に置いてもよい。一実施形態では、本発明のトラップは暗い場所に置いてもよい。
【０１３６】
一実施形態では、本発明のトラップはヒトまたは動物の近くに置いてもよい。
【０１３７】
脱皮動物は、クチクラ、外骨格内に若干のキチンおよび歩行運動のためのいくつかの肢付属を有する動物である。
【０１３８】
脱皮動物としては、節足動物門、有爪動物門、緩歩動物門、動吻動物門、鰓曳動物門、胴甲動物門、線形動物門および類線形動物門が挙げられる。
【０１３９】
一実施形態では、節足動物としては、有爪動物、鋏角類、多足類、甲殻類および六脚類が挙げられる。鋏角類の例としては、限定されるものではないが、コヨリムシ、クモ、クツコムシ、イエダニ、貯蔵物ダニ、ワクモ、マダニ、サソリモドキ、カニムシおよびヒヨケムシが挙げられる。
【０１４０】
多足類の例としては、限定されるものではないが、ムカデ（ｃｅｎｔｒｉｐｅｄａ）などのムカデ綱、コムカデ綱、エダヒゲムシ綱およびヤスデ綱が挙げられる。
【０１４１】
甲殻類の例としては、限定されるものではないが、貝虫亜綱、鰓尾亜綱、鰓脚亜綱、鞘甲亜綱、ワラジムシなどの等脚目などの軟甲綱、カイアシ亜綱、ムカデエビ綱およびカシラエビ綱が挙げられる。
【０１４２】
六脚類の例としては、限定されるものではないが、トビムシ目、カマアシムシ目、コムシ目、イシノミ科および昆虫が挙げられる。
【０１４３】
昆虫のクラスとしては、限定されるものではないが、シミ目（シミ亜目とも呼ぶ）、ハサミムシ目、ノミ目、シラミ目、シロアリ目、ゴキブリ目、カメムシ亜目、カメムシ目、コウチュウ目、ハチ目、チョウ目およびハエ目が挙げられる。
【０１４４】
昆虫の例としては、限定されるものではないが、シミ、クギヌキハサミムシ、例えばハサミムシ、ノミ、ヒトジラミ、例えばアタマジラミ、シロアリ、ゴキブリ、サシガメ、カメムシ、トコジラミ、アブラムシ、カイガラムシ、カブトムシ、テントウムシ（ｌａｄｙｂｕｇ）またはテントウムシ（ｌａｄｙｂｉｒｄ）、アリ、チョウ、ガ、およびハエの幼虫を含むハエが挙げられる。
【０１４５】
一実施形態では、本発明の脱皮動物は、クモ、トコジラミ、イエダニ、テントウムシ（ｌａｄｙｂｕｇ）またはテントウムシ（ｌａｄｙｂｉｒｄ）、コイガ、サシガメ、シラミ、ノミおよびサソリなどの寝室でよく見られる脱皮動物である。
【０１４６】
別の実施形態では、本発明の脱皮動物は、クモ、シミ、ゴキブリ、アリ、ハエの幼虫、貯蔵物ダニ、テントウムシ（ｌａｄｙｂｕｇ）またはテントウムシ（ｌａｄｙｂｉｒｄ）、スジコナマダラメイガ、ノミおよびサソリなどの台所でよく見られる脱皮動物である。
【０１４７】
別の実施形態では、本発明の脱皮動物は、クモ、テントウムシ（ｌａｄｙｂｕｇ）またはテントウムシ（ｌａｄｙｂｉｒｄ）、ノミおよびサソリなどの居間でよく見られる脱皮動物である。
【０１４８】
別の実施形態では、本発明の脱皮動物は、クモおよびシミなどの浴室でよく見られる脱皮動物である。
【０１４９】
別の実施形態では、本発明の脱皮動物は、クモ、ワラジムシ、シミ、ハサミムシおよびサソリなどの地下貯蔵室でよく見られる脱皮動物である。
【０１５０】
別の実施形態では、本発明の脱皮動物は、シロアリおよび家具カブトムシなどの住宅建築用の木材でよく見られる脱皮動物である。
【０１５１】
別の実施形態では、本発明の脱皮動物は、クモ、ムカデ、ワラジムシ、ヤスデ、トビムシ、カブトムシ、テントウムシ（ｌａｄｙｂｕｇ）またはテントウムシ（ｌａｄｙｂｉｒｄ）、アリ、シロアリ、カメムシ、ガ、アブラムシ、ハサミムシ、マダニ、カイガラムシおよびサソリなどの庭でよく見られる脱皮動物である。
【０１５２】
別の実施形態では、本発明の脱皮動物は、トコジラミ、サシガメ、シラミ、ノミおよびサソリなどの咬む脱皮動物である。
【０１５３】
別の実施形態では、本発明の脱皮動物は、トコジラミ、イエダニ、テントウムシ（ｌａｄｙｂｕｇ）またはテントウムシ（ｌａｄｙｂｉｒｄ）、ゴキブリおよび貯蔵物ダニなどのアレルギーに関与する脱皮動物である。
【０１５４】
別の実施形態では、本発明の脱皮動物は、サシガメ、ノミおよびマダニなどの疾患を蔓延させる脱皮動物である。
【０１５５】
別の実施形態では、本発明の脱皮動物は、テントウムシ（ｌａｄｙｂｕｇ）またはテントウムシ（ｌａｄｙｂｉｒｄ）、アリ、アブラムシ、カブトムシ、カメムシ、ガ、ハサミムシおよびカイガラムシなどの農業災害を引き起こす脱皮動物である。
【０１５６】
別の実施形態では、本発明の脱皮動物は、ゴキブリ、アリ、貯蔵物ダニ、ハエの幼虫およびスジコナマダラメイガなどの食糧の劣化を引き起こす脱皮動物である。
【０１５７】
別の実施形態では、本発明の脱皮動物は、シロアリおよび家具の害虫などの木材の劣化を引き起こす脱皮動物である。
【０１５８】
別の実施形態では、本発明の脱皮動物は、コイガなどの衣類の劣化を引き起こす脱皮動物である。
【０１５９】
別の実施形態では、本発明の脱皮動物は、トコジラミ、サシガメ、イエダニ、ゴキブリ、貯蔵物ダニ、シロアリ、コイガ、クモ、シミ、ワラジムシ、ムカデ、ヤスデ、トビムシ、シラミ、ハサミムシ、一般的な家具の害虫、サソリ、アリ、ハエの幼虫およびスジコナマダラメイガの毛虫などの、忌光性の脱皮動物、夜行性の脱皮動物、狭い空間に隠れている脱皮動物または暗い色に誘引される脱皮動物である。
【０１６０】
別の実施形態では、本発明の脱皮動物は、テントウムシ（ｌａｄｙｂｕｇ）またはテントウムシ（ｌａｄｙｂｉｒｄ）、ハエ、アブラムシ、カブトムシ、カメムシ、ガ、ノミ、マダニ、カイガラムシおよびスジコナマダラメイガなどの、光を好む脱皮動物、昼行性の脱皮動物または明るい色に誘引される脱皮動物である。
【０１６１】
別の実施形態では、本発明の脱皮動物は、トコジラミ、シミ、アリ、シラミ、イエダニ、貯蔵物ダニ、クモ、ハエの幼虫、ガ、マダニ、アブラムシ、カイガラムシ、ノミ、一般的な家具の害虫、ムカデ、ヤスデ、トビムシおよびカブトムシなどの１．５ｍｍ未満の身長の脱皮動物である。
【０１６２】
別の実施形態では、本発明の脱皮動物は、ハサミムシ、ワラジムシ、サシガメ（ｒｅｄｕｖｉｄａｅ）（サシガメ（ｋｉｓｓｉｎｇ  ｂｕｇ））、テントウムシ、衣類ガ、クモ、ハエの幼虫、スジコナマダラメイガ、ムカデ、ヤスデ、カブトムシ、カメムシ、ガ、マダニおよびカイガラムシなどの１．５ｍｍ〜２．５ｍｍの身長の脱皮動物である。
【０１６３】
別の実施形態では、本発明の脱皮動物は、ゴキブリ、サソリ、クモ、ムカデおよびヤスデなどの５ｍｍ超の身長の脱皮動物である。
【０１６４】
一実施形態では、本発明のトラップは、脱皮動物、好ましくは節足動物、より好ましくは昆虫、甲殻類および／またはクモ類を捕獲するために設計されている。好ましい実施形態では、昆虫としては、爬行昆虫および飛行昆虫の幼虫（すなわち、ハエ目の昆虫の幼虫）が挙げられる。特定の実施形態では、本発明のトラップは爬行昆虫およびクモ類を捕獲するために設計されている。
【０１６５】
飛行昆虫の幼虫の例としては、限定されるものではないが、ウマバエ、ガガンボ、ホバーフライ、蚊、ブユ、ミバエおよびムシヒキアブなどの幼虫が挙げられる。
【０１６６】
好ましい実施形態では、本発明のトラップは、トコジラミ、ゴキブリ（ｒｏａｃｈ）およびゴキブリ（ｃｏｃｋｒｏａｃｈ）、ワラジムシ、アリ、ノミ、カブトムシおよび／またはクモを捕獲するように設計されている。
【０１６７】
一実施形態では、本発明のトラップは、脱皮動物トラップ、好ましくは節足動物トラップ、より好ましくは昆虫および／またはクモ類トラップである。
【実施例】
【０１６８】
本発明を以下の実施例によってさらに例示する。
【０１６９】
飼育
トコジラミ（学名：Ｃｉｍｅｘ  ｌｅｃｔｕｌａｒｉｕｓ）を、産卵のための避難所および支持体を提供するためにアコーディオン式に折り畳まれた濾紙を含むプラスチックボトルの中で飼育した。それらを２１℃の温度の恒温器の中に入れ、抗凝固物質を含まないヒトの新鮮な血液を１週間に１回与える。２０℃の温度および３０〜５０％の相対湿度の好適な部屋の中で実験を行う。
【０１７０】
実施例１：粗度（Ｒｕｇｏｓｉｔｙ）試験
【０１７１】
実験１
材料および方法
２つのトラップ（１つは滑らかな床を有し、かつもう１つは粗い床を有する）を互いに面するようにプラスチックトレイの中に置いた。滑らかな床は、Ｐｏｃｋｅｔｓ  Ｄｉｎ（Ｂｒｏｎｙ  ｂｙ  ｄｏｃｕｌｉｎｅ、０９９００７）の滑らかなプラスチック（５５μｍのポリプロピレン、滑らかな床と呼ぶ）で作られていた。粗い床はサンドペーパー（２４０グレーン／ｃｍ２、粗い床と呼ぶ）で作られていた。本トラップの屋根はその内面が両面接着テープ（ＡＸＴＯＮ（登録商標））で被覆された黒色の紙で作られていた。２５匹のトコジラミの個体（５匹の雄、５匹の雌および１５匹の全段階の若虫）をトレイの中央に置いた。両面接着テープに付着した個体の数を１５時間後に記録した。
【０１７２】
結果
結果は表１に示されている。
【表１】
2019528785.tif 000003
【０１７３】
これらの結果は、トコジラミが滑らかな床による捕獲と比較して粗い床を有するトラップの中に有意に入ったということを示している。平均して３回の反復にわたって８９．９％の個体が粗い床を有する本発明のトラップに対してより誘引される（ｐ＜０．００１）。
【０１７４】
実験２
【０１７５】
材料および方法
異なる密度のサンドペーパー（４０００、３０００、２０００、１０００、４００、２８０、１２０、８０および６０グレーン／ｃｍ２）で研磨された領域を含むプレキシガラスプレートを使用した。４０００グレーン／ｃｍ２のサンドペーパーにより非常に細かい研磨が得られるが、６０グレーン／ｃｍ２のサンドペーパーによりプレキシガラスプレート上に重大な引っ掻きが生じる。トコジラミが各研磨領域上を容易に移動することが観察された。次いで、支持体を傾けた際にトコジラミがその上を這い上がることができるかを調査した。
【０１７６】
結果
トコジラミは、４０００〜１０００グレーン／ｃｍ２のサンドペーパーで研磨されたプレキシガラスの領域を通って移動するのが非常に困難である（それらは滑り落ちる）。しかし、密度が減少するほど、より多くのトコジラミが移動できるようになり、それはそれらの移動速度の上昇によって反映されている（データは示さず）。プレキシガラスプレートが傾けられると、トコジラミはそこにしがみつくことができずに、４０００および３０００グレーン／ｃｍ２のプレキシガラス領域に沿って滑り落ちる。２０００グレーン／ｃｍ２から、トコジラミは垂直であっても支持体にしがみつくことができるようになる。
【０１７７】
従って、材料が粗くなるほど、より多くのトコジラミが容易に材料の上を移動する。
【０１７８】
実験３
【０１７９】
材料および方法
２種類の他の材料、すなわちサンドペーパーおよびプラスチック製のきめの粗いプラスチックを用いて、粗度を上げながら上記実験２と同じ実験を行った。
【０１８０】
結果
トコジラミは滑らかな材料および非常に僅かに粗い材料の上で滑り落ちることが分かった。個体の移動度は約１０００グレーン／ｃｍ２の密度から２００グレーン／ｃｍ２の密度に向かって上昇した。次いで、個体は１８０〜６０グレーン／ｃｍ２のより高い粗度を有する材料の上での移動において益々困難になる。
【０１８１】
従って、本トラップの中に進入するための個体の移動度は材料の粗度によって決まる。その結果は、最も適当な密度が２００グレーン／ｃｍ２まで増加したということを示している。
【０１８２】
実施例２：両面接着テープで被覆された屋根
【０１８３】
材料および方法 
この実験で使用したトラップは図１に表されているとおりである。傾斜した屋根はその内面が両面接着テープ（ＡＸＴＯＮ（登録商標））で被覆されていた。このトラップは長さが１３５ｍｍであって幅が１５ｍｍであり、このトラップの開口部は１．５ｍｍの高さである。このトラップは、１５ｍｍの長さの９つの間隙に区切る９つの壁、すなわち２つの外壁および７つの内壁を含む。
【０１８４】
このトラップを、その底部がサンドペーパーで研磨された３０×２０ｃｍのプラスチックトレイの中に置いた。１５匹のトコジラミの個体（５匹の雄、５匹の雌および全段階の５匹の若虫）をトレイの中に置いた。両面接着テープに付着した個体の数を１５時間後に記録した。
【０１８５】
結果
１５時間後に、雄の７３％、雌の８０％および若虫の６８％がこのトラップの中に捕獲された。すなわち、それらがこのトラップの屋根の上に不可逆的に付着した。
【０１８６】
実施例３：忌避剤としての両面接着テープの評価
この実験の目的は、両面接着テープがトコジラミの忌避剤にならないか否かを決定することである。
【０１８７】
材料および方法
この実験手順は実施例２と同じである。屋根の内面に被覆された両面接着テープを含む試験トラップに加えて、両面接着テープを含まない防除トラップを試験トラップと向かい合わせてプラスチックトレイの中に置いた。
【０１８８】
結果
結果は、トコジラミが試験トラップ（接着テープを含む）および防除トラップ（接着テープを含まない）の中に同等に退避したということを示している。従って、両面接着テープはトコジラミの忌避剤ではない。
【０１８９】
実施例４：フェロモン生成の評価
この実験の目的は、両面接着テープに付着したトコジラミが警報フェロモンを生じるか否かを決定することである。
【０１９０】
材料および方法
この実験手順は実施例３と同じである。第２のトラップ内の両面接着テープに付着した様々な数のトコジラミを含むトラップを両面接着テープを含むがトコジラミが付着していないトラップと向かい合わせてプラスチックトレイの中に置いた。外傷性受精（ｔｒａｕｍａｔｉｃ  ｉｎｓｅｍｉｎａｔｉｏｎ）による雌および若虫の飛行を回避するために、雄のみをこの実験のために使用した。
【０１９１】
結果
結果は、トコジラミが、個体が付着したトラップおよび個体が付着していないトラップの両方に退避したということを示している。従って、付着したトコジラミは他のトコジラミの忌避剤とはならない。
【０１９２】
さらに、本出願人は驚くべきことに、より多くのトコジラミが両面接着テープに付着するほど、より多くの他のトコジラミが、個体が付着していないトラップと比較してこのトラップに退避することを実証した。この実験手順は上記と同じであり、前もって１０匹または２１匹のトコジラミ（雄、雌、若虫）を本トラップの中に付着させ、かつ３０匹の自由なトコジラミ（雄、雌、若虫）をトレイの中に置いた状態で行った。先に付着させたトコジラミを含めずに、トラップ内に退避した個体の数を１５時間後に記録した。各実験を３回の反復で行った。
【０１９３】
表２は、トコジラミが付着したトラップおよびトコジラミが付着していないトラップの中に退避した自由なトコジラミの平均を示す。
【表２】
2019528785.tif 000004
【０１９４】
従って、捕獲されたトコジラミは自由なトコジラミを誘引するものとなる。このように、本トラップの効率はトコジラミが捕獲されるにつれて徐々に増加する。
【０１９５】
実施例５：被覆された屋根対被覆された床
この実験の目的は、床の上面に粘着性フィルムを含む一般的なトラップと比較して粘着性物質で被覆された屋根の有効性を決定することである。
【０１９６】
材料および方法
この実験手順は実施例３と同じである。屋根の内面に被覆された両面接着テープを含むトラップ（試験トラップ）に加えて、床の上面に被覆された両面接着テープを含むトラップを試験トラップと向かい合わせてプラスチックトレイの中に置いた。
【０１９７】
結果
結果は表３に示されている。
【表３】
2019528785.tif 000005
【０１９８】
個体（雄、雌または若虫）は、床が粘着性物質で被覆されているトラップと比較して屋根が粘着性物質で被覆されているトラップの中に有意に退避した。性別および段階に関わらず、個体の８８％が屋根が粘着性物質で被覆されているトラップの中に捕獲された（ｐ＜０．００１）。
【０１９９】
実施例６：最適な開口部高さ
【０２００】
材料および方法
この実験手順は実施例３と同じであり、４つの異なる高さ：１．５ｍｍ、２．５ｍｍ、５ｍｍおよび１０ｍｍの開口部を試験した。各高さに対して３回の繰り返しを行った。
【０２０１】
結果
トラップ高さの関数としての捕獲の有効性の結果はポワソン分布に従う。個体が雄、雌または若虫のいずれであろうと、１．５ｍｍの開口部の場合に本トラップの最大効率に達する（図２０）。１．７ｍｍの開口部の場合に同じ最大効率に達した（データは示さず）。
【０２０２】
実施例７：最適なトラップ幅
【０２０３】
材料および方法
この実験手順は１．５ｍｍの開口部高さを使用する実施例３と同じであり、４つの異なるトラップ幅：５ｍｍ、１５ｍｍ、２５ｍｍおよび３５ｍｍを試験した。各高さに対して３回の繰り返しを行った。
【０２０４】
結果
トラップ幅の関数としての誘引性の結果はポワソン分布に従う（図２１）。個体が雄、雌または若虫のいずれであろうと、１５ｍｍの幅を有するトラップにより、２５ｍｍもしくは３５ｍｍの長さよりも有意により多くの個体が捕獲される。従って、最適幅は５〜１５ｍｍである。
【０２０５】
開口部高さを１．５ｍｍに設定すると、０．１°〜０．３°の範囲の屋根の傾斜により本トラップの最大効率に達する。
【０２０６】
実施例８：異なる脱皮動物種による本トラップの効率
【０２０７】
材料および方法
この実験手順は実施例３と同じである。どんな誘引剤も含まない底部がサンドペーパーで研磨された３０×２０ｃｍのプラスチックトレイの中に本トラップを置いた。３種類の脱皮動物種：ワラジムシ（学名：Ｏｎｉｓｃｕｓ  ａｓｅｌｌｕｓ）、アリ（赤アリ、クシケアリ属種）およびゴキブリ（トルキスタンゴキブリ（ｒｅｄ  ｒｕｎｎｅｒ  ｃｏｃｋｒｏａｃｈ）、学名：Ｂｌａｔｔａ  ｌａｔｅｒａｌｉｓ）を試験した。開口部高さおよびトラップ長さを脱皮動物サイズに従って試験した。一晩後に、捕獲された個体の数を観察した。
【０２０８】
結果
結果は表４に示されている。
【表４】
2019528785.tif 000006
【０２０９】
結果は、本トラップに誘引されたワラジムシ、アリおよびゴキブリの少なくとも９４％であって最大１００％が一晩後に確実に捕獲されるということを示している。従って、粘着性物質（両面接着テープ）で被覆された傾斜した屋根を含むトラップは様々な脱皮動物種に対して非常に有効である。
【０２１０】
さらに最大効率のために、本トラップの幅（すなわち、間隙の長さ）および本トラップの高さは、捕獲される脱皮動物のサイズに合わせて構成しなければならない。例えば、開口部サイズおよび／または幅はアリよりもゴキブリに対して大きくしなければならない。
【０２１１】
表２に示されている結果に従って、脱皮動物のサイズの関数として最小の開口部高さを表すように線を描いてもよい（図２２）。従って、その線上に脱皮動物の高さをプロットして、垂直（ｙ）軸上の値を読み取ることにより、本トラップの開口部高さを推測することができる。
【０２１２】
実施例９：市販されているトラップと比較して細長いトラップ
【０２１３】
材料および方法
この実験手順は実施例３と同じである。本発明に係る屋根の内面に被覆された両面接着テープを含むトラップ（試験トラップ）に加えて、３つの異なる市販されているトラップを試験トラップと向かい合わせて１２０×９５ｃｍのプラスチックトレイの中に１つずつ置いた。この試験のために使用される３つの市販されているトラップは床の上に粘着性物質を含む。
【０２１４】
結果
結果は表５に示されている。
【表５】
2019528785.tif 000007
【０２１５】
ＢＵＧＧＹＢＥＤＳ（登録商標）（ＦＡＢＲＩＣ  ＨＩＴＣＨＨＩＫＥＲＳ（商標））およびＢＥＤ  ＢＵＧ  ＡＬＥＲＴ  ＭＯＮＩＴＯＲ（Ｂｉｒｄ−Ｘ社）はあまり有効でなかったため、捕獲された個体の有意な割合を計算するために非常に僅かな個体しか誘引されなかった。ＢＥＤ  ＢＵＧ  ＤＥＴＥＣＴＩＯＮ  ＳＹＳＴＥＭ（商標）（ＣＡＴＣＨＭＡＳＴＥＲ（登録商標））トラップのみが本発明のトラップと同様のトコジラミに対する誘引性を示している。
【０２１６】
粘着性物質による捕獲効率に関するデータ（本トラップ内に確実に捕獲される個体の数に対応する）によれば、本発明のトラップは主として捕獲された個体の平均７４％に対して最も効率的である。それどころか、３つの市販されているトラップの中に誘引されたほぼ全ての個体が付着せず、すなわち接着剤を逃れることができた。
【０２１７】
従って、粘着性物質で被覆された屋根を含む本発明のトラップは、市販されているトラップよりも有意に効率的である。
【０２１８】
実施例１０：市販されているトラップと比較した円形トラップ
【０２１９】
材料および方法
この実験のための円形トラップが図１２に示されている。このトラップは、特に誘引剤としてヒトを用いてベッド脚部の下に置くことを目的としている。ヒトによって生成される二酸化炭素および熱を模倣するために、酵母、糖および水を含む混合物が本トラップの上部に置かれている。
【０２２０】
この円形トラップをその底部がサンドペーパーで研磨された１２０×９５ｃｍのプラスチックトレイの中に置いた。１５匹のトコジラミ個体（５匹の雄、５匹の雌および５匹の全段階の若虫）をトレイの中に置いた。両面接着テープに付着した個体の数を１５時間後に記録した。
【０２２１】
本発明の円形トラップ（試験トラップ）に加えて、４つの異なる市販されているトラップを試験トラップと向かい合わせてプラスチックトレイの中に１つずつ置いた。この試験のために使用される誘引剤および５つの市販されているトラップの捕獲手段が表６に示されている。
【表６】
2019528785.tif 000008
【０２２２】
本発明のトラップに関しては、トラップＣＬＩＭＢ’ＵＰ（登録商標）はヒトを誘引剤として使用することを目的としている。ヒトによって生成される二酸化炭素および熱を模倣するために、酵母、糖および水を含む同じ混合物がこのトラップの上部に置かれている。３つの他の市販されているトラップは昆虫を誘引するために二酸化炭素、熱および／または化学誘引剤を含む。
【０２２３】
結果
結果は表７に示されている。
【表７】
2019528785.tif 000009
【０２２４】
ＦＩＲＳＴ  ＲＥＳＰＯＮＳＥ  ＢＥＤ  ＢＵＧ  ＭＯＮＩＴＯＲはあまりに有効でなかったため、捕獲された個体の有意な割合を計算するために非常に僅かな個体しか誘引されなかった。ＢＢ  ＡＬＥＲＴ（登録商標）ＡｃｔｉｖｅおよびＦＩＲＳＴ  ＲＥＳＰＯＮＳＥ  ＢＥＤ  ＢＵＧ  ＴＲＡＰは、本発明のトラップよりも有意に誘引的である。但し、これらの２つのトラップは昆虫を誘引するための二酸化炭素および／または熱を含んでいるが、これらは数時間しか効率的でない。従って、本発明のトラップは長時間にわたってより効率的なものであろう。
【０２２５】
捕獲効率に関しては、本発明のトラップは、全ての市販されている試験したトラップよりも効率的である。さらに、ＣＬＩＭＢ’ＵＰ（登録商標）、ＢＢ  ＡＬＥＲＴ（登録商標）ＡｃｔｉｖｅおよびＦＩＲＳＴ  ＲＥＳＰＯＮＳＥ  ＢＥＤ  ＢＵＧ  ＴＲＡＰのトラップは本発明のトラップよりも誘引的であるが、個体は本トラップ内に不可逆的に捕獲されないことに留意されたい。それどころか、本発明のトラップ内に誘引された非常に大多数の個体は間違いなく捕獲される。
【０２２６】
従って、本発明のトラップは市販されているトラップよりも有意に効率的である。
【０２２７】
実施例１１：屋根の傾斜
【０２２８】
材料および方法
様々な程度の傾斜した屋根：開口部から本トラップの背部まで直線状の傾斜した屋根、２つの別個の傾斜を有する屋根および凹状の屋根を試験した。いずれの場合も、屋根の内面は両面接着テープ（ＡＸＴＯＮ（登録商標））で被覆されている。
【０２２９】
直線状の傾斜した屋根は実施例２のトラップと同じである。様々な程度を有する屋根は図５および図６に表されているとおりである。凹状の屋根は図２３および図２４に表されている。各トラップをその底部がサンドペーパーで研磨されている３０×２０ｃｍのプラスチックトレイの中に置いた。１０匹の雄のトコジラミをトレイの中に置いた。両面接着テープに付着した個体の数を１５時間後に記録した。各実験に対して３回の反復を行った。
【０２３０】
結果
結果は表８に示されている。
【表８】
2019528785.tif 000010
【０２３１】
これらの結果は、個体が傾斜の程度が屋根に沿って変化するトラップ（直線状の屋根と比較した凹状の屋根および２つの別個の傾斜を有する屋根）においてより付着することを明らかに示している。特に、個体は２つの別個の傾斜を有する屋根を含むトラップにおいてより付着する。
【０２３２】
参照符号
１：トラップ
２：床
３：屋根
４：長手方向線
５：壁
５ａ：外壁
５ｂ：内壁
６：開口部
７：粘着性物質
８：両面接着テープ
９：滑らかな材料
１０：凸角
【図１Ａ】
2019528785.tif 000011
【図１Ｂ】
2019528785.tif 000012
【図２Ａ】
2019528785.tif 000013
【図２Ｂ】
2019528785.tif 000014
【図３】
2019528785.tif 000015
【図４】
2019528785.tif 000016
【図５】
2019528785.tif 000017
【図６】
2019528785.tif 000018
【図７】
2019528785.tif 000019
【図８】
2019528785.tif 000020
【図９】
2019528785.tif 000021
【図１０】
2019528785.tif 000022
【図１１】
2019528785.tif 000023
【図１２】
2019528785.tif 000024
【図１３Ａ】
2019528785.tif 000025
【図１３Ｂ】
2019528785.tif 000026
【図１４】
2019528785.tif 000027
【図１５】
2019528785.tif 000028
【図１６Ａ】
2019528785.tif 000029
【図１６Ｂ】
2019528785.tif 000030
【図１７Ａ】
2019528785.tif 000031
【図１７Ｂ】
2019528785.tif 000032
【図１７Ｃ】
2019528785.tif 000033
【図１８Ａ】
2019528785.tif 000034
【図１８Ｂ】
2019528785.tif 000035
【図１８Ｃ】
2019528785.tif 000036
【図１８Ｄ】
2019528785.tif 000037
【図１９Ａ】
2019528785.tif 000038
【図１９Ｂ】
2019528785.tif 000039
【図２０】
2019528785.tif 000040
【図２１】
2019528785.tif 000041
【図２２】
2019528785.tif 000042
【図２３】
2019528785.tif 000043
【図２４】
2019528785.tif 000044
【国際調査報告】
2019528785.tif 000045
2019528785.tif 000046